(57)【要約】【課題】テレビ受信機が放送局から受信している番組の映像や音声に同期して音楽や映像を出力することができる携帯情報端末を提供する。【解決手段】携帯情報端末１０において、アプリケーション実行部１２は、移動体通信部１１を介してサーバ装置にコンテンツ要求を送信する。そして、サーバ装置からコンテンツデータを一意に特定できる識別番号と識別番号に対応するコンテンツデータを受信する。受信した識別番号とコンテンツデータを記憶部１３に記憶する。次に、ユーザの操作を受けてアプリケーション実行部１２は、テレビ制御信号送信部１４を介してテレビ受信機２０に同期制御要求を送信する。データ受信部１５は、テレビ受信機２０から識別番号を含む同期制御信号を受信する。アプリケーション実行部１２は、同期制御信号に含まれている識別番号に対応するコンテンツデータを記憶部１３から読み出して出力する。【選択図】    図２
2005333371.tif 000002
【特許請求の範囲】
【請求項１】
サーバ装置と接続する携帯情報端末において、
テレビ受信機に信号を送信する信号送信部と、
前記テレビ受信機から信号を受信する信号受信部と、
前記サーバ装置にコンテンツデータを要求するコンテンツ要求を送信する送信手段と、
前記サーバ装置から前記コンテンツデータを一意に特定できる識別番号と前記識別番号に対応する前記コンテンツデータを受信する第１の受信手段と、
前記受信手段によって受信した前記識別番号と前記コンテンツデータを内部の記憶部に記憶する記憶手段と、
前記テレビ受信機から前記信号受信部を介して前記識別番号を含む同期制御信号を受信する第２の受信手段と、
前記同期制御信号に含まれている前記識別番号に対応する前記コンテンツデータを前記記憶部から読み出し、音もしくは映像の少なくとも一方として出力するコンテンツ出力手段と、
を備えたことを特徴とする携帯情報端末。
【請求項２】
ユーザ認証要求を前記サーバ装置に送信し、前記サーバ装置からユーザ認証応答を受信するユーザ認証手段を備え、
前記送信手段は、前記ユーザ認証手段が受信した前記ユーザ認証応答に含まれている認証結果が認証承認の場合に、前記コンテンツ要求を送信することを特徴とする請求項１に記載の携帯情報端末。
【請求項３】
サーバ装置と、前記サーバ装置に接続する携帯情報端末と、放送局からのテレビ電波を受信するテレビ受信機と、によって構成されるコンテンツ同期システムにおいて、
前記サーバ装置は、
コンテンツデータに一意に付与された識別番号と前記コンテンツデータを内部の記憶部に記憶し、前記携帯情報端末からコンテンツ要求を受信して前記コンテンツ要求に含まれている指示情報に従って前記コンテンツデータと前記コンテンツデータに対応する前記識別番号を前記記憶部から読み出し、読み出した前記コンテンツデータを前記携帯情報端末に送信し、
前記テレビ受信機は、
前記携帯情報端末に信号を送信する信号送信部を備え、前記放送局から前記識別番号を含む同期制御信号が重畳されたテレビ電波を受信して前記テレビ電波に含まれている前記同期制御信号を前記信号送信部を介して前記携帯情報端末に送信し、
前記携帯情報端末は、
前記テレビ受信機から信号を受信する信号受信部を備え、
前記サーバ装置に前記コンテンツ要求を送信し、前記サーバ装置から前記識別番号と前記識別番号に対応する前記コンテンツデータを受信して前記識別番号と前記コンテンツデータを内部のコンテンツ記憶部に記憶し、前記テレビ受信機から前記信号受信部を介して前記同期制御信号を受信して前記同期制御信号に含まれている前記識別番号に対応する前記コンテンツデータを前記コンテンツ記憶部から読み出し、音もしくは映像の少なくとも一方として出力する
ことを特徴とするコンテンツ同期システム。
【請求項４】
サーバ装置と、前記サーバ装置に接続する携帯情報端末と、放送局からテレビ電波を受信し、前記携帯情報端末と信号通信するテレビ受信機と、によって行われるコンテンツ同期方法であって、
前記携帯情報端末が前記サーバ装置にコンテンツデータを要求するコンテンツ要求を送信する過程と、
前記サーバ装置が前記携帯情報端末から前記コンテンツ要求を受信する過程と、
前記サーバ装置が内部に記憶しているコンテンツデータと前記コンテンツデータに一意に付与された識別番号を読み出して前記携帯情報端末に送信する過程と、
前記携帯情報端末が前記サーバ装置から前記識別番号と前記識別番号に対応する前記コンテンツデータを受信して内部のコンテンツ記憶部に記憶する過程と、
前記テレビ受信機が放送局から受信したテレビ電波に重畳されている前記識別番号を含む同期制御信号を前記携帯情報端末に送信する過程と、
前記携帯情報端末が前記同期制御信号を受信して、前記同期制御信号に含まれている前記識別番号に対応する前記コンテンツデータを前記コンテンツ記憶部から読出し、音もしくは映像の少なくとも一方として出力する過程と、
によって構成されることを特徴とするコンテンツ同期方法。
【請求項５】
サーバ装置と接続し、テレビ受信機に信号を送信する信号送信部と、前記テレビ受信機から信号を受信する信号受信部と、を備えた携帯情報端末のコンピュータを、
前記サーバ装置にコンテンツデータを要求するコンテンツ要求を送信する送信手段、
前記サーバ装置から前記コンテンツデータを一意に特定できる識別番号と前記識別番号に対応する前記コンテンツデータを受信する第１の受信手段、
前記第１の受信手段によって受信した前記識別番号と前記コンテンツデータを内部の記憶部に記憶する記憶手段、
前記テレビ受信機から前記信号受信部を介して前記識別番号を含む同期制御信号を受信する第２の受信手段、
前記同期制御信号に含まれている前記識別番号に対応する前記コンテンツデータを前記記憶部から読み出し、音もしくは映像の少なくとも一方として出力するコンテンツ出力手段、
として機能させることを特徴とするコンテンツ同期プログラム。
【請求項６】
サーバ装置と接続し、テレビ受信機に信号を送信する信号送信部と、前記テレビ受信機から信号を受信する信号受信部と、を備えた携帯情報端末のコンピュータを、
前記サーバ装置にコンテンツデータを要求するコンテンツ要求を送信する送信手段、
前記サーバ装置から前記コンテンツデータを一意に特定できる識別番号と前記識別番号に対応する前記コンテンツデータを受信する第１の受信手段、
前記第１の受信手段によって受信した前記識別番号と前記コンテンツデータを内部の記憶部に記憶する記憶手段、
前記テレビ受信機から前記信号受信部を介して前記識別番号を含む同期制御信号を受信する第２の受信手段、
前記同期制御信号に含まれている前記識別番号に対応する前記コンテンツデータを前記記憶部から読み出し、音もしくは映像の少なくとも一方として出力するコンテンツ出力手段、
として機能させることを特徴とするコンテンツ同期プログラムを記録したコンピュータ読取可能な記録媒体。
【発明の詳細な説明】
【技術分野】
【０００１】
本発明は、テレビに映る番組と同期してコンテンツを出力する携帯情報端末、コンテンツ同期システム及びコンテンツ同期方法並びにコンテンツ同期プログラムとその記録媒体に関する。
【背景技術】
【０００２】
地域的に開始されつつある地上波デジタル放送等のテレビのデジタル放送においては、従来のアナログ放送に比べて番組の映像情報の他に多くの情報を重畳して放送を行うことができる。そのため、放送局が放送中の番組に関連する情報をテレビ電波に重畳して送信し、ユーザのテレビ受信機で受信してテレビ映像と共に画面に付加的な情報を表示することを可能としている。また、個人の必須の所有物となりつつある携帯電話等の携帯情報端末と上記のデジタル放送技術を組み合わせて新たなサービスを行うことが検討されている動きもある（例えば、特許文献１参照）。
【特許文献１】特開２００２−１２５１６７号公報
【発明の開示】
【発明が解決しようとする課題】
【０００３】
しかしながら、従来の技術では、例えば、テレビ受信機が映し出している番組に同期して、携帯情報端末を動作させて音楽や映像を流すことができないという問題がある。
【０００４】
本発明は、上記問題を解決すべくなされたもので、その目的は、テレビ受信機により放送局から受信している番組の映像や音声に同期して音楽や映像を出力することができる携帯情報端末を提供することにある。
【課題を解決するための手段】
【０００５】
本発明は、本発明の一実施形態は、サーバ装置と接続する携帯情報端末において、テレビ受信機に信号を送信する信号送信部と、前記テレビ受信機から信号を受信する信号受信部と、前記サーバ装置にコンテンツデータを要求するコンテンツ要求を送信する送信手段と、前記サーバ装置から前記コンテンツデータを一意に特定できる識別番号と前記識別番号に対応する前記コンテンツデータを受信する第１の受信手段と、前記受信手段によって受信した前記識別番号と前記コンテンツデータを内部の記憶部に記憶する記憶手段と、前記テレビ受信機から前記信号受信部を介して前記識別番号を含む同期制御信号を受信する第２の受信手段と、前記同期制御信号に含まれている前記識別番号に対応する前記コンテンツデータを前記記憶部から読み出し、音もしくは映像の少なくとも一方として出力するコンテンツ出力手段と、を備えたことを特徴とする携帯情報端末である。
【０００６】
上記の発明の一実施形態において、ユーザ認証要求を前記サーバ装置に送信し、前記サーバ装置からユーザ認証応答を受信するユーザ認証手段を備え、前記送信手段は、前記ユーザ認証手段が受信した前記ユーザ認証応答に含まれている認証結果が認証承認の場合に、前記コンテンツ要求を送信することを特徴とする請求項１に記載の携帯情報端末。
【０００７】
本発明の一実施形態は、サーバ装置と、前記サーバ装置に接続する携帯情報端末と、放送局からのテレビ電波を受信するテレビ受信機と、によって構成されるコンテンツ同期システムにおいて、前記サーバ装置は、コンテンツデータに一意に付与された識別番号と前記コンテンツデータを内部の記憶部に記憶し、前記携帯情報端末からコンテンツ要求を受信して前記コンテンツ要求に含まれている指示情報に従って前記コンテンツデータと前記コンテンツデータに対応する前記識別番号を前記記憶部から読み出し、読み出した前記コンテンツデータを前記携帯情報端末に送信し、前記テレビ受信機は、前記携帯情報端末に信号を送信する信号送信部を備え、前記放送局から前記識別番号を含む同期制御信号が重畳されたテレビ電波を受信して前記テレビ電波に含まれている前記同期制御信号を前記信号送信部を介して前記携帯情報端末に送信し、前記携帯情報端末は、前記テレビ受信機から信号を受信する信号受信部を備え、前記サーバ装置に前記コンテンツ要求を送信し、前記サーバ装置から前記識別番号と前記識別番号に対応する前記コンテンツデータを受信して前記識別番号と前記コンテンツデータを内部のコンテンツ記憶部に記憶し、前記テレビ受信機から前記信号受信部を介して前記同期制御信号を受信して前記同期制御信号に含まれている前記識別番号に対応する前記コンテンツデータを前記コンテンツ記憶部から読み出し、音もしくは映像の少なくとも一方として出力することを特徴とするコンテンツ同期システムである。
【０００８】
本発明の一実施形態は、サーバ装置と、前記サーバ装置に接続する携帯情報端末と、放送局からテレビ電波を受信し、前記携帯情報端末と信号通信するテレビ受信機と、によって行われるコンテンツ同期方法であって、前記携帯情報端末が前記サーバ装置にコンテンツデータを要求するコンテンツ要求を送信する過程と、前記サーバ装置が前記携帯情報端末から前記コンテンツ要求を受信する過程と、前記サーバ装置が内部に記憶しているコンテンツデータと前記コンテンツデータに一意に付与された識別番号を読み出して前記携帯情報端末に送信する過程と、前記携帯情報端末が前記サーバ装置から前記識別番号と前記識別番号に対応する前記コンテンツデータを受信して内部のコンテンツ記憶部に記憶する過程と、前記テレビ受信機が放送局から受信したテレビ電波に重畳されている前記識別番号を含む同期制御信号を前記携帯情報端末に送信する過程と、前記携帯情報端末が前記同期制御信号を受信して、前記同期制御信号に含まれている前記識別番号に対応する前記コンテンツデータを前記コンテンツ記憶部から読出し、音もしくは映像の少なくとも一方として出力する過程と、によって構成されることを特徴とするコンテンツ同期方法である。
【０００９】
本発明の一実施形態は、サーバ装置と接続し、テレビ受信機に信号を送信する信号送信部と、前記テレビ受信機から信号を受信する信号受信部と、を備えた携帯情報端末のコンピュータを、前記サーバ装置にコンテンツデータを要求するコンテンツ要求を送信する送信手段、前記サーバ装置から前記コンテンツデータを一意に特定できる識別番号と前記識別番号に対応する前記コンテンツデータを受信する第１の受信手段、前記第１の受信手段によって受信した前記識別番号と前記コンテンツデータを内部の記憶部に記憶する記憶手段、前記テレビ受信機から前記信号受信部を介して前記識別番号を含む同期制御信号を受信する第２の受信手段、前記同期制御信号に含まれている前記識別番号に対応する前記コンテンツデータを前記記憶部から読み出し、音もしくは映像の少なくとも一方として出力するコンテンツ出力手段、として機能させることを特徴とするコンテンツ同期プログラムである。
【００１０】
本発明の一実施形態は、サーバ装置と接続し、テレビ受信機に信号を送信する信号送信部と、前記テレビ受信機から信号を受信する信号受信部と、を備えた携帯情報端末のコンピュータを、前記サーバ装置にコンテンツデータを要求するコンテンツ要求を送信する送信手段、前記サーバ装置から前記コンテンツデータを一意に特定できる識別番号と前記識別番号に対応する前記コンテンツデータを受信する第１の受信手段、前記第１の受信手段によって受信した前記識別番号と前記コンテンツデータを内部の記憶部に記憶する記憶手段、前記テレビ受信機から前記信号受信部を介して前記識別番号を含む同期制御信号を受信する第２の受信手段、前記同期制御信号に含まれている前記識別番号に対応する前記コンテンツデータを前記記憶部から読み出し、音もしくは映像の少なくとも一方として出力するコンテンツ出力手段、として機能させることを特徴とするコンテンツ同期プログラムを記録したコンピュータ読取可能な記録媒体である。
【発明の効果】
【００１１】
この発明によれば、テレビ受信機が放送局から受信している放送中の番組の映像や音声に同期して携帯情報端末に音楽や映像を出力させることができる。
【発明を実施するための最良の形態】
【００１２】
以下、本発明の一実施形態による携帯情報端末及びコンテンツ同期システムを図面を参照して説明する。
図１は、本実施形態によるコンテンツ同期システム１を示す概略ブロック図である。
同図において、携帯情報端末１０は、例えば携帯電話であり、移動体通信事業者の基地局５２及び移動体通信網５１を介してネットワーク５０に接続する。また、携帯情報端末１０には、Ｂｌｕｅｔｏｏｔｈや赤外線等の無線によって周辺の装置と通信することができるインタフェースを備えている。テレビ受信機２０は、放送局３０からのテレビ電波を受信して、テレビ電波を映像及び音に変換して出力する。また、携帯情報端末１０と同様にＢｌｕｅｔｏｏｔｈや赤外線等の無線によって周辺の装置と通信することができるインタフェースを備えている。また、さらに、本実施形態のテレビ受信機２０では、多くの情報を重畳することができるデジタル放送に対応していることを想定している。サーバ装置４０は、放送局２０の番組制作者が制作した番組に連動して携帯情報端末１０を動作させるためのアプリケーションと番組に対して携帯情報端末１０に出力させることを目的とした動画や着信メロディのコンテンツデータを記憶している。また、サーバ装置４０は、ネットワーク５０に接続しており、携帯情報端末１０からの要求に応じて、内部に記憶しているデータを読み出して送信する。
【００１３】
図２は、本実施形態における携帯情報端末１０及びテレビ受信機２０の内部構成を説明するためのブロック図である。
携帯情報端末１０において、移動体通信部１１は、移動体通信事業者の基地局５２に接続し、サーバ装置４０との間で通信を行う。アプリケーション実行部１２は、ユーザの操作を受けて携帯情報端末１０がサーバ装置４０からダウンロードしたアプリケーションを実行する。記憶部１３は、ユーザの操作を受けて携帯情報端末１０のアプリケーション実行部１２が移動体通信部１１を介してサーバ装置４０からダウンロードしたコンテンツデータを記憶する。テレビ制御信号送信部１４は、テレビ受信機２０に対してＢｌｕｅｔｏｏｔｈや赤外線信号によって同期制御要求を送信する。信号受信部１５は、テレビ受信機２０が送信する同期制御信号を受信し、アプリケーション実行部１２に受信した信号を転送する。画面表示部１６は、例えば携帯電話における液晶画面であり、アプリケーション実行部１２が記憶部１３から読み出した動画等のコンテンツデータを出力する。音声出力部１７は、例えば携帯電話におけるスピーカであり、同じくアプリケーション実行部１２がコンテンツデータベース１３から読み出した着信メロディ等のコンテンツデータを出力する。
【００１４】
テレビ受信機２０において、放送電波制御部２５は、放送局３０が送信するテレビ電波を受信し、当該テレビ電波に重畳されているテレビの映像信号や音声信号や付加情報等の制御信号を分離する。テレビ制御信号受信部２１は、携帯情報端末１０のテレビ制御信号送信部１４から同期制御要求を受信し、放送電波制御部２５に同期制御要求を送信する。信号送信部２２は、放送電波制御部２５から同期制御信号を受信して、携帯情報端末１０の信号受信部１５に送信する。テレビ映像表示部２３は、テレビ画面に該当し、放送電波制御部２５からテレビ映像信号を受信して出力する。テレビ音声出力部２４は、テレビのスピーカに該当し、同じく放送電波制御部２５から音声信号を受信して出力する。
【００１５】
図３は、携帯情報端末１０における記憶部１３のデータ構成を示した図である。素材ＩＤ（ＩＤｅｎｔｉｆｉｃａｔｉｏｎ）には、コンテンツデータを一意に識別できる識別番号を記憶する。識別番号は放送局３０の番組制作者が番組制作時に連動して携帯情報端末１０に出力させるコンテンツデータを決定する際に予め付与された番号である。コンテンツデータとしては、動画データ、画像データ、音楽データ等を記憶する。同図におけるデータ構造はサーバ装置４０のデータベースに放送局３０の番組制作者が設定したデータ構造と同様であり、番組制作者は例えば、素材ＩＤが１のコンテンツデータをある番組のシーンＡに対応させ、素材ＩＤが２のコンテンツデータをシーンＢに対応させて設定を行う。
【００１６】
図４は、本実施形態におけるコンテンツ同期の処理を示したシーケンス図である。
最初に携帯情報端末１０がユーザの操作を受けてアプリケーション要求をサーバ装置４０に送信する（ステップＳ１）。サーバ装置４０は、アプリケーション要求を受けて携帯情報端末１０に、アプリケーションデータを送信する（ステップＳ２）。次に、携帯情報端末１０がユーザの操作を受けてアプリケーションを起動する（ステップＳ３）。起動した後に携帯情報端末１０は、認証要求をサーバ装置４０に送信する（ステップＳ４）。サーバ装置４０は、携帯情報端末１０のユーザの登録情報を予め記憶しており、当該登録情報に従って認証処理を行い（ステップＳ５）、認証結果を送信する（ステップＳ６）。認証結果を受信した携帯情報端末１０は、認証結果がＮＧの時は処理を終了し、ＯＫ（認証承認）の場合には次の処理に進む（ステップＳ７）。認証がＯＫの場合、携帯情報端末１０はコンテンツ要求をサーバ装置４０に送信する（ステップＳ８）。サーバ装置４０は、内部に記憶しているコンテンツデータを読み出して（ステップＳ９）、携帯情報端末１０に送信する（ステップＳ１０）。携帯情報端末１０は、受信したコンテンツデータを記憶部１３に保存する（ステップＳ１１）。次に、携帯情報端末１０はユーザの操作を受けて、テレビ制御信号送信部１４からテレビ受信機２０のテレビ制御信号受信部２１に同期制御要求を送信する（ステップＳ１２）。テレビ受信機２０は、同期制御要求を受けて信号送信部２２を通信可能状態に設定する。次に、放送局３０は、番組のシーンＡの開始にあわせてコンテンツＩＤ＝１を含む同期制御信号をテレビ電波に重畳して放送する（ステップＳ１３）。テレビ受信機２０は、テレビ電波を受信して、放送電波制御部２５において、信号を分離し、信号送信部２２から携帯情報端末１０の信号受信部１５に同期制御信号を送信する（ステップＳ１４）。同期制御信号を受信した携帯情報端末１０は同期制御信号に含まれているＩＤ＝１を読み出して、記憶部１３から素材ＩＤが１のコンテンツを読出し（ステップＳ１５）、コンテンツデータが動画の場合には画面表示部１６に出力し、着信メロディデータの場合には音声出力部１７に出力する（ステップＳ１６）。放送局３０は、シーンがＢに変わるタイミングでコンテンツＩＤ＝２を含んだ同期制御信号をテレビ電波に重畳させて放送する（ステップＳ１７）。テレビ受信機２０は、テレビ電波を受信して上記と同様に同期制御信号を分離して、携帯情報端末１０に同期制御信号を送信する（ステップＳ１８）。携帯情報端末１０は、受信した同期制御信号からコンテンツＩＤ＝２を読み出して、記憶部１３から素材ＩＤが２のコンテンツデータを読み出して（ステップＳ１９）、コンテンツデータを出力する（ステップＳ２０）。
上記の処理によって、放送局３０が放送する番組の進行に連動して携帯情報端末１０から音や映像のコンテンツを同期して出力させることができる。それによって、放送中の番組の内容において携帯電話が鳴動した際に、自らの携帯電話も鳴動させたり、恐い番組中に携帯情報端末１０から恐い音を発生させる等の臨場感を高めることができる。また、コマーシャルの放送等の場合には、コマーシャルに関連する商品の詳細情報を表示した動画等を出力してユーザの購買意欲を高めることができる。
上記実施の形態では、デジタル放送を想定していたが、本発明は、それに限られず、アナログ放送に対しても適用することができる。
なお、上記の説明では、携帯情報端末１０が記憶部１３に記憶しているコンテンツデータを同期制御信号に従って読み出すようにしているが、同期制御信号を受信するごとにサーバ装置４０からコンテンツデータを受信して出力するようにしてもよい。また、上記の説明では、コンテンツデータはサーバ装置４０を介して受信する構成にしているが、放送局３０がコンテンツデータをストリーミングデータとしてテレビ電波に重畳して放送するようにしてもよい。このとき、テレビ受信機２０の信号送信部２２がそのストリーミングデータを携帯情報端末１０の信号受信部１５に送信し、受信した携帯情報端末１０が出力することとなり、サーバ装置４０を必要としない構成となる。また、さらに、上記の説明では、携帯情報端末１０から同期制御要求を送信した後に、テレビ受信機２０が同期制御信号を送信するようにしているが、テレビ放送と同時に一方的に同期制御信号の送信を開始するようにしてもよい。
【００１７】
上述の携帯情報端末は内部に、コンピュータシステムを有している。そして、上述したコンテンツ同期を実行する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００１８】
【図１】本実施形態によるコンテンツ同期システムを示すブロック図である。
【図２】同実施形態における携帯情報端末及びテレビ受信機の内部構成を示すブロック図である。
【図３】同実施形態における携帯情報端末の記憶部のデータ構成を説明するための図である。
【図４】同実施形態におけるコンテンツ同期処理のシーケンス図である。
【符号の説明】
【００１９】
１０  携帯情報端末
１１  移動体通信部
１２  アプリケーション実行部
１３  記憶部
１４  テレビ制御信号送信部
１５  データ受信部
２０  テレビ受信機
【図１】
2005333371.tif 000003
【図２】
2005333371.tif 000004
【図３】
2005333371.tif 000005
【図４】
2005333371.tif 000006